(57)【要約】【課題】電力量計が有する端子台の接点部に対する引き込み口線の取り外し作業及び接続作業を容易とする。【解決手段】電力量計１が有する端子台２の複数の接点部３それぞれに、引き込み口線４を電気的に接続するための接続具７である。接続具７は、電力量計１に取り付けられるベース部材１０と、このベース部材１０に取り付けられると共に複数の接点部３それぞれと電気的に接続される複数の第１接続子１１と、引き込み口線４が接続されると共に第１接続子１１それぞれと着脱可能にキボシ接続される複数の第２接続子１２とを備えている。【選択図】      図２
2012159342.tif 000002
【特許請求の範囲】
【請求項１】
電力量計が有する端子台の複数の接点部それぞれに、引き込み口線を電気的に接続するための接続具であって、
前記電力量計に取り付けられるベース部材と、
前記ベース部材に取り付けられると共に前記複数の接点部それぞれと電気的に接続される複数の第１接続子と、
前記引き込み口線が接続されると共に前記第１接続子それぞれと着脱可能にキボシ接続される複数の第２接続子と、
を備えていることを特徴とする電力量計用の引き込み口線接続具。
【請求項２】
前記ベース部材は、前記第１接続子それぞれを、対応する前記接点部それぞれの位置に応じて個別に移動調整可能に、当該ベース部材に取り付ける位置調整部を有している請求項１に記載の電力量計用の引き込み口線接続具。
【発明の詳細な説明】
【技術分野】
【０００１】
本発明は、電力量計が有する端子台の複数の接点部に引き込み口線を接続するための接続具に関する。
【背景技術】
【０００２】
一般家庭等の電力需要者は、高圧配電線から、柱上トランスによって電圧が１００〜２００Ｖに降圧された低圧配電線及び引き込み口線を介して、電力の供給を受けている。
そして、電力需用者の家屋等には、前記引き込み口線が接続される電力量計が設置されており（例えば特許文献１参照）、この電力量計により各電力需用者の電力使用量が計測されている。
【０００３】
電力量計が有する端子台には複数の接点部が設けられており、これら接点部それぞれに引き込み口線が接続される。複数の接点部それぞれに対する引き込み口線の接続は、ねじ止めによって行われている。すなわち、引き込み口線の先端を、端子台の接点部（接点部材）で挟んだ状態とし、ねじによって引き込み口線を締め付けて接点部に固定している。
【先行技術文献】
【特許文献】
【０００４】
【特許文献１】特開平８−２７１５５４号公報（図６参照）
【発明の概要】
【発明が解決しようとする課題】
【０００５】
従来における、電力量計の接点部に対する引き込み口線の接続構造では、各接点部に引き込み口線を接続した後、その引き込み口線を接続し直すためには、前記ねじを緩めてから、引き込み口線を繋ぎ換え、ねじを締めるという作業が必要であるため、接点部が多くなると、端子台（接点部）からの引き込み口線の取り外し作業及び再接続の作業に手間を要する。例えば、電力量計全体を取り替える場合、従来の接続構造では、作業が煩雑となり、手間を要する。
【０００６】
なお、前記特許文献１には、電力量計の端子台に取り付ける端子治具が開示されている。しかし、これは、電力量計における電圧測定又は電流測定を行うために、追加的に電力量計に取り付けられるものである。すなわち、引き込み口線が接続されている電力量計の端子台に重ねて、前記端子治具は設置されるものであり、引き込み口線を接続するためのものではない。
【０００７】
本発明は、電力量計が有する端子台の接点部に対する引き込み口線の取り外し作業及び接続作業が容易となる電力量計用の引き込み口線接続具を提供することを目的とする。
【課題を解決するための手段】
【０００８】
本発明は、電力量計が有する端子台の複数の接点部それぞれに、引き込み口線を電気的に接続するための接続具であって、前記電力量計に取り付けられるベース部材と、前記ベース部材に取り付けられると共に前記複数の接点部それぞれと電気的に接続される複数の第１接続子と、前記引き込み口線が接続されると共に前記第１接続子それぞれと着脱可能にキボシ接続される複数の第２接続子とを備えていることを特徴とする。
【０００９】
本発明によれば、電力量計が有する端子台の複数の接点部それぞれに、第１接続子が電気的に接続され、この第１接続子に、引き込み口線を接続した第２接続子が、着脱可能にギボシ接続される。このため、端子台の複数の接点部に対する引き込み口線の取り外し作業及び接続作業が容易となる。また、電力量計全体を取り替える場合、ベース部材ごとを電力量計から取り外せば、第１接続子及び第２接続子をまとめて取り外すことが可能となり、また、このベース部材を新たな電力量計に対して取り付ければ簡単に復帰させることができ、その作業が容易となる。
【００１０】
また、前記ベース部材は、前記第１接続子それぞれを、対応する前記接点部それぞれの位置に応じて個別に移動調整可能に、当該ベース部材に取り付ける位置調整部を有しているのが好ましい。
この場合、電力量計が有する端子台の複数の接点部それぞれの位置が、電力量計の種類によって様々であっても、これに応じて第１接続子を移動させて位置調整し、ベース部材に取り付けることができる。
【発明の効果】
【００１１】
本発明によれば、電力量計が有する端子台の接点部に対する引き込み口線の取り外し作業及び接続作業が容易となる。
【図面の簡単な説明】
【００１２】
【図１】本発明の接続具が取り付けられた電力量計の正面図である。
【図２】端子台を断面で示している電力量計の側面図である。
【図３】電力量計から接続具を取り外した状態の斜視図である。
【図４】第１接続子と第２接続子とが非接続状態にある説明図である。
【図５】第１接続子と第２接続子とが接続状態にある説明図である。
【発明を実施するための形態】
【００１３】
以下、本発明の実施の形態を図面に基づいて説明する。
図１は、本発明の引き込み口線接続具７が取り付けられた電力量計１の正面図である。図２は、図１の電力量計１の側面図であり、端子台２を断面で示している。
電力量計１は、電力需用者の家屋等に設置されており、当該電力需用者によって消費された電力を積算する電気計器である。
【００１４】
電力量計１は、計器本体部６と、その下に一体として設けられている端子台２とを備えており、端子台２に複数本の引き込み口線４が電気的に接続される。計器本体部６は、消費電力量を示す表示部６ａ（図１参照）を有しており、計器本体部６は、透明のカバー部材６ｂによって覆われており、外部から表示部６ａを視認することができる。
【００１５】
電力量計１の端子台２は、左右方向に並んでいる複数（本実施形態では６つ）の接点部３を有している。本実施形態では、図２に示すように、接点部３は導電性を有する（例えば銅製の）金属部材からなる。
各接点部３には、ねじ８が設けられており、ねじ８は、接点部３を構成する金属部材に螺合しており、後に説明する第１接続子１１の導電部１７の一部を接点部３に締め付け固定することができる。接点部３それぞれは同じ構成であるが、左右方向の間隔は不均等である。なお、本発明では、接点部３が並んでいる方向を左右方向とする。
【００１６】
接続具７は、複数の接点部３それぞれに、複数本の引き込み口線４それぞれを電気的に接続するためのものであり、電力量計１に取り付けられるベース部材１０と、このベース部材１０に取り付けられている複数の第１接続子１１と、これら第１接続子１１それぞれと接続されている複数の第２接続子１２とを備えている。本実施形態では、第１接続子１１及び第２接続子１２それぞれは、接点部３と同数の６つである。なお、図１では、右から２番目の接点部３において、第２接続子１２を取り外した状態としている。
【００１７】
図３は電力量計１から接続具７を取り外した状態の斜視図である。なお、この図３では、第１接続子１１を一つのみ示しており、また、第２接続子１２を全て省略している。
ベース部材１０は、端子台２の後面側に沿って設けられる後壁１３と、この後壁１３の左右側縁から立ち上がっている左右の側壁１４，１５とを有している。後壁１３及び側壁１４，１５は板状であり、電力量計１に取り付けられた状態で、左右の側壁１４，１５間に端子台２が位置する。
【００１８】
後壁１３には、取り付け孔１３ａが形成されており、この取り付け孔１３ａと、端子台２に設けられている孔２ａとに、取り付けねじ１６（図１参照）を挿入し、このねじ１６によって、ベース部材１０は端子台２に固定される。取り付け孔１３ａは、端子台２の位置に合わせることができるように長孔となっている。
【００１９】
また、後壁１３には、左右方向に長い別の長孔９が形成されている。長孔９は、端子台２の左端の接点部３から右端の接点部３までの範囲と同等又はそれ以上の長さを有して形成されている。後に説明するが、この長孔９には、止めねじ２０（図２参照）の先端部側が貫通した状態となる。
【００２０】
本実施形態の端子台２は、前方に複数の開口を有する箱形状であり、この開口に前記ねじ８が露出することができる。また、端子台２の下面には、接点部３の位置に対応して、複数の貫通孔２ｂが形成されている。
【００２１】
図４は、第１接続子１１と第２接続子１２との説明図であり、両者が非接続の状態である。これに対して、図５は、第１接続子１１と第２接続子１２とが接続された状態である。単一の第１接続子１１と単一の第２接続子１２とにより１組の接続体を構成しており、接続具７は、この接続体を６組備えているが、すべての組について、接続体（第１接続子１１と第２接続子１２）の構成は同じである。
【００２２】
第１接続子１１は、端子台２の接点部３と電気的に接続される接続プラグである。第２接続子１２は、引き込み口線４が接続されており、第１接続子１１と着脱可能にキボシ接続される接続ソケットである。
【００２３】
第１接続子１１は、導電性の部材からなるほぼＬ字形の導電部（第１導電部）１７と、この導電部１７のほぼ下半分を囲んでいるケース部（第１ケース部）１８とを有している。導電部１７とケース部１８とは一体として組み立てられている。
ケース部１８は、絶縁性の部材（例えば樹脂製）からなり、導電部１７が、その隣りに配置されることとなる第１接続子１１及び第２接続子１２の導電部と短絡するのを防止する。導電部１７の上部１７ａは、ケース部１８から突出しており、図２に示すように、上部１７ａは、ねじ８によって接点部３に締め付け固定される。
【００２４】
ケース部１８には、前方（図４と図５とでは左方向）に開口している開口部１９が形成されており、開口部１９内において、導電部１７のキボシ接続雄部１７ｂが露出している。このキボシ接続雄部１７ｂは、後に説明する第２接続子１２のキボシ接続雌部２７ａと、着脱可能なキボシ接続がされる。
【００２５】
また、前記開口部１９からケース部１８の裏面へと貫通する貫通孔が形成されており、この貫通孔に止めねじ２０が挿入されている。この止めねじ２０の先端部側は、ケース部１８の裏面から突出しており、ナット部材２１が螺合している。
図２に示すように、止めねじ２０は、ベース部材１０が有する後壁１３の前記長孔９（図３参照）を挿通してからナット部材２１と螺合しており、止めねじ２０を締め付けることにより、ケース部１８（第１接続子１１）は、ベース部１０に着脱可能として取り付けられる。なお、図１に示すように、この止めねじ２０の頭部は、前方から見える位置にあり、前方から工具（ドライバ）を挿入することで、止めねじ２０を回転させることができる。
【００２６】
また、ベース部材１０の前記長孔９は、上記のとおり左右方向に長く形成されていることから、止めねじ２０を緩めることで、ベース部材１０に対してケース部１８（第１接続子１１）を左右方向に移動させ、その位置を調整することができる。特に、図１に示すように、端子台２の接点部３間の寸法は不均一であり、また、電力量計１の種類によっては、この接点部３の間隔は様々な場合があるが、ケース部１８（第１接続子１１）を、対応する接点部３それぞれの位置に応じて個別に移動調整可能となる。
このように、長孔９、止めねじ２０及びナット部材２１によって、ベース部材１０の位置調整部４０が構成されており、この位置調整部４０によって、各第１接続子１１は、対応する接点部３それぞれの位置に応じて個別に移動調整可能としてベース部材１０に取り付けられている。
【００２７】
図４と図５とにおいて、第２接続子１２は、導電性の部材からなるほぼＬ字形の導電部（第２導電部）２７と、この導電部２７のほぼ上半分を囲んでいるケース部（第２ケース部）２８とを有している。導電部２７とケース部２８とは一体として組み立てられている。ケース部２８は、絶縁性の部材（例えば樹脂製）からなり、導電部２７が、その隣りに配置されることとなる第１接続子１１及び第２接続子１２の導電部と短絡するのを防止する。
【００２８】
第２接続子１２の導電部２７は、キボシ接続雌部２７ａと圧縮接続部２７ｂとを有しており、キボシ接続雌部２７ａと圧縮接続部２７ｂとは電気的に接続されている。
キボシ接続雌部２７ａは、上記のとおり、第１接続子１１のキボシ接続雄部１７ｂとキボシ接続される。
このキボシ接続では、キボシ接続雄部１７ｂを、キボシ接続雌部２７ａのほぼ環状の部分に挿入するだけで、当該環状の部分が弾性的に拡大変形し、キボシ接続雄部１７ｂにキボシ接続雌部２７ａが外嵌固定された状態となり、抜け止めされる。
【００２９】
そして、キボシ接続雄部１７ｂとキボシ接続雌部２７ａとの間に、双方を引き離す力を加えると、抜け止め力に抗して、キボシ接続雄部１７ｂとキボシ接続雌部２７ａとは離れることができ、電気的な接続も解除される。
このように、キボシ接続雄部１７ｂとキボシ接続雌部２７ａとの間で、第１接続子１１と第２接続子１２とは着脱可能である。
また、圧縮接続部２７ｂは、ケース部２８から突出しており、ほぼ環状の部分を有しており、この部分を縮径する方向に塑性変形することにより、引き込み口線４の端部と圧縮接続される。
【００３０】
さらに、この第２接続子１２は、圧縮接続部２７ｂのうちのケース部２８から突出（露出）している部分を覆うことができる端子カバー３０を有している。端子カバー３０は、絶縁性の部材からなり、筒形状であって、この端子カバー３０を引き込み口線４に沿って移動させることで、圧縮接続部２７ｂを覆った状態と、圧縮接続部２７ｂを露出させた状態とに切り替えることができる。圧縮接続部２７ｂを露出させた状態とすることで、図５に示すように、無停電端子３１をこの圧縮接続部２７ｂに電気的に接続することが可能となる。
【００３１】
以上の本実施形態に係る接続具７によれば、各第２接続子１２に引き込み口線４を接続し、また、電力量計１が有する端子台２の６つの接点部３それぞれに、第１接続子１１を接続する。そして、各第１接続子１１に、引き込み口線４を接続した第２接続子１２をギボシ接続する。これにより、端子台２の接点部３それぞれに、各引き込み口線４が電気的に接続された状態となる。
【００３２】
そして、第１接続子１１と第２接続子１２とは、着脱可能にギボシ接続されているので、端子台２の各接点部３に対する引き込み口線４の取り外し作業、及び、再接続作業が容易となる。また、電力量計１全体を取り替える場合、取り付けねじ１６及び各接点部３のねじ８を緩めてから、ベース部材１０ごとを端子台２から下方へ取り外せば、第１接続子１１及び第２接続子１２をまとめて電力量計１から取り外すことが可能となる。そして、このベース部材１０を新たな電力量計１に対して下方から取り付ければ、簡単に復帰させることができ、その作業が容易となる。
【００３３】
また、接続具７の前記位置調整部４０は、第１接続子１１それぞれを、対応する接点部３それぞれの位置に個別に移動調整可能にベース部材１０に取り付けているので、電力量計１が有する端子台２の複数の接点部３それぞれの位置が、電力量計の種類によって様々であっても、これに応じて第１接続子１１を移動させて位置調整することができる。
【００３４】
また、本発明の接続具７は、図示する形態に限らず本発明の範囲内において他の形態のものであってもよい。例えば、ベース部材１０は、端子台２の全面を覆う蓋部材を有していてもよい。この場合、蓋部材は、左右の側壁１４，１５に跨って設けられる。
【符号の説明】
【００３５】
１  電力量計
２  端子台
３  接点部
４  引き込み口線
７  接続具
１０  ベース部材
１１  第１接続子
１２  第２接続子
４０  位置調整部
【図１】
2012159342.tif 000003
【図２】
2012159342.tif 000004
【図３】
2012159342.tif 000005
【図４】
2012159342.tif 000006
【図５】
2012159342.tif 000007